(57)【要約】【課題】  簡易な構造により、確実にフイルム送りができるＤＩＬ方式の写真カメラを提供する。【解決手段】  スプロケット近傍のカメラ本体に、フイルム面と直交する面内で移動するフイルムガイド部材２８を設ける。装填蓋４を開いた状態では、フイルムガイド部材２８は、ねじりバネ３３に付勢され、フイルム給送路１８に進入する付勢位置にある。フイルムリーダー部２４ａをフイルム給送路１８に向かって挿入すると、側縁部２４ｃは、フイルムガイド部材２８の斜面２８ａに沿うため、スプロケット２７に突き当たることがない。装填蓋４を閉じると、押圧突出部４ｃの押圧により、フイルムガイド部材２８は、ねじりバネ３３の付勢力に抗してフイルム給送路１８から退く退避位置に移動する。同時にフイルムリーダー部２４ａはフイルム給送路１８に収められる。【選択図】        図３
2005189413.tif 000002
【特許請求の範囲】
【請求項１】
フイルムリーダー部を突出させたフイルムパトローネがカメラ本体の底面側から軸方向に装填室に装填され、フイルムへの露光範囲を規制するアパーチャよりも上方にパーフォレーションに係合してフイルムリーダー部を巻取り室に送り込むスプロケットが設けられた写真カメラにおいて、
前記装填室を開閉する装填蓋と、前記スプロケットよりも下方に位置するようにカメラ本体に組み込まれ、背面側への突出高さが上方に向かって漸増したフイルムガイド部材と、前記装填蓋が閉止されたときに前記フイルムガイド部材を前記アパーチャの背後に形成されるフイルム給送路から退避させ、装填蓋が開放されたときにフイルムガイド部材をフイルム給送路内に移動させる移動手段とを有することを特徴とする写真カメラ。
【請求項２】
前記スプロケット及びフイルムガイド部材はアパーチャと巻取り室との間に略縦並びに組み込まれ、フイルムガイド部材はフイルム面と直交する面内で移動することを特徴とする請求項１記載の写真カメラ。
【請求項３】
前記装填蓋は、カメラ本体の底面に露呈するパトローネ装填口を覆う底蓋部とカメラ本体の背面を少なくとも部分的に覆う裏蓋部とを有し、装填蓋の開放時には前記フイルムガイド部材がバネ付勢によってフイルム給送路内に移動し、装填蓋の閉止時には前記裏蓋部に設けた押圧突起がフイルム給送路外でフイルムガイド部材を前記バネ付勢に抗して押圧してフイルム給送路から退避させることを特徴とする請求項２記載の写真カメラ。
【発明の詳細な説明】
【技術分野】
【０００１】
本発明は、フイルムパトローネを巻軸の軸方向から装填するドロップインローディング方式（以下、ＤＩＬ方式）の写真カメラに関するものである。
【背景技術】
【０００２】
１３５タイプのフイルムパトローネを使用するカメラとして、ＤＩＬ方式の簡易装填機構を備えたカメラが知られている（特許文献１、特許文献２参照）。ＤＩＬ方式のカメラでは、装填蓋を開放すると例えばカメラボディの底面にパトローネ室の装填口が露呈し、予めフイルムリーダー部が突出しているフイルムパトローネをその巻軸方向から装填室に落とし込むようにして装填する。装填蓋を開放すると、装填蓋の一部とカメラ本体との間にフイルムリーダー部の挿入ガイドとなるスリットが形成され、またフイルム圧板も正規の位置から光軸方向に後退しているので、フイルムパトローネの落とし込みとともにフイルムリーダー部もアパーチャとフイルム圧板との間に挿入される。装填蓋を閉じるとフイルム圧板も正規の位置に移動するから、フイルムリーダー部はフイルム給送路内に収まるようになる。
【０００３】
カメラ本体にはフイルムへの露光範囲を画定するアパーチャが設けられ、このアパーチャの上辺又は下辺に沿うように、フイルム初期送り用のスプロケットが設けられている。このスプロケットは装填蓋を閉じたときに駆動され、フイルムリーダー部のパーフォレーションに係合してフイルムリーダー部をフイルム巻取り室に送り込む。装填蓋の閉じ動作に連動してフイルム巻取り室内では巻取りスプールも駆動されているから、フイルム巻取り室に送り込まれたフイルムリーダー部は巻取りスプールに巻き付けられ、以後は巻取りスプールの駆動によりフイルム給送が継続される。そして、例えばフォトセンサによりパーフォレーションの通過個数が所定数に達した時点でフイルム給送が停止され、アパーチャの背後にフイルムの１コマ目がセットされフイルム初期送りが完了する。
【０００４】
ＤＩＬ方式のカメラでは、装填蓋の閉じ操作に連動してフイルムリーダー部をフイルム巻取り室に向かって給送する初期送りが必要となるため、装填蓋を閉じた時点でスプロケットがパーフォレーションに係合しうる位置までフイルムリーダー部を挿入しておかなくてはならない。ところが、単にスプロケットをフイルム給送路に設けたのでは、フイルムパトローネの装填とともにフイルムリーダー部をフイルム給送路に向かって挿入してゆくときに、フイルムリーダー部の側縁がスプロケットに突き当たって正規の位置まで挿入できなくなるという不都合が生じやすい。
【０００５】
こうした不都合を改善するために、特許文献１記載のカメラでは、フイルムリーダー部の側縁が突き当たったときの押圧力でスプロケットの爪をフイルム給送路から逃がすようにしている。また、特許文献２記載のカメラでは、スプロケットを径方向に移動自在に組み込み、装填蓋を開いたときにスプロケットをフイルム給送路から退避させ、装填蓋を閉じたときにスプロケットをフイルム給送路内の正規の位置に移動させるようにしている。
【特許文献１】特開２００２−１２２９３３号公報
【特許文献１】特開平８−１９４２５７号公報
【発明の開示】
【発明が解決しようとする課題】
【０００６】
しかしながら、特許文献１記載のカメラでは、初期送り期間中に爪がフイルム給送路から引っ込むことがないように、爪を突出位置で保持する機構が必要になり、構造が複雑化して部品点数も増える。また、特許文献２記載のカメラでは、スプロケットを径方向に移動自在に支持する機構だけでなく、モータからのギヤトレインとの係合及び係合解除のための機構も不可欠となり、やはり構造の複雑化及び部品点数の増加が避けられない。特に、最近ではカメラのコンパクト化やローコスト化が進んでおり、これらの機構は採用し難い。
【０００７】
本発明は以上のような背景を考慮してなされたもので、スプロケットやその爪をフイルム給送路から退避させることなく、簡便な機構でフイルムリーダー部の側縁がスプロケットに突き当たることを防ぎ、ＤＩＬ方式で確実にフイルム装填を行うことができるようにした写真カメラを提供することを目的とする。
【課題を解決するための手段】
【０００８】
本発明は、装填室を開閉する装填蓋と、アパーチャよりも上方に設けたスプロケットに対し、下方に位置するようにカメラ本体に組み込まれ、背面側への突出高さが上方に向かって漸増したフイルムガイド部材とを設け、また、前記装填蓋が閉止されたときに前記フイルムガイド部材を前記アパーチャの背後に形成されるフイルム給送路から退避させ、装填蓋が開放されたときにフイルムガイド部材をフイルム給送路内に移動させる移動手段を設けている。それにより、装填蓋開放時においては、フイルムリーダー部の突出したフイルムパトローネをスムーズに装填でき、その後、装填蓋を閉止すれば、フイルムリーダー部をフイルム給送路に収め、スプロケットと係合させることができる。
【０００９】
スプロケット及びフイルムガイド部材をアパーチャと巻取り室との間に略縦並びに組み込み、フイルムガイド部材をフイルム面と直交する面内で移動させることで、フイルムガイド部材をコンパクトに設計でき、また、装填蓋の開閉に連動しやすくできる。
【００１０】
装填蓋は、カメラ本体の底面に露呈するパトローネ装填口を覆う底蓋部とカメラ本体の背面を少なくとも部分的に覆う裏蓋部とを有し、装填蓋の開放時には前記フイルムガイド部材がバネ付勢によってフイルム給送路内に移動し、装填蓋の閉止時には前記裏蓋部に設けた押圧突起がフイルム給送路外でフイルムガイド部材を前記バネ付勢に抗して押圧してフイルム給送路から退避させる。それにより、部品数の少ない簡易な機構とすることができる。
【発明の効果】
【００１１】
本発明のカメラによれば、装填蓋を開いたときには、フイルム給送路に進入する付勢位置にあり、装填蓋を閉じたときには、装填蓋の裏蓋部に押圧されることでフイルム給送路から退避する退避位置に移動するフイルムガイド部材を設けたので、装填蓋を開いたときに、フイルムをスムーズに装填できるとともに、装填蓋を閉じたときに、固定されたスプロケット軸を中心に回転するスプロケットにより、確実なフイルム送りをすることができる。さらに、本発明のカメラによれば、簡易な機構になり、部品点数が少ないことによりコストダウンも可能となる。
【発明を実施するための最良の形態】
【００１２】
図１から図４に示すのは、本発明の第一の実施例である。図１に示すように、写真カメラ２は、カメラ本体３と、装填蓋４と、カメラカバー５とから構成されている。  カメラ本体３は、露光範囲を規制するアパーチャ８を有し、背面側から見て、アパーチャ８の右側に装填室９、左側に巻取り室１０を有している。装填室９は底面に装填口１１を有している。巻取り室１０にはスプール１２が設けられ、上方に、引っ掛け爪１２ａ（図２参照）を有している。装填蓋４は、カメラ本体の背面を覆う裏蓋部４ａと、カメラ本体３の底面を覆う底蓋部４ｂとからなる。裏蓋部４ａのカメラ本体側には、図３に示すようにフイルム圧板１５が押しバネ１６を介して設けられている。フイルム圧板１５は、装填蓋４を閉じると、カメラ本体３に設けられた圧板受け１７に押し付けられ、フイルム給送路１８を形成する。
【００１３】
装填室底面の装填口１１から挿入されるフイルムパトローネ２１は、フイルムパトローネ本体２２、パトローネ軸２３、フイルム２４で構成されている。フイルム２４はパトローネ軸２３に巻きつけられフイルムパトローネ本体２２に収められており、未使用状態でフイルム先端のフイルムリーダー部２４ａが突出している。フイルム２４には、パーフォレーション２４ｂが設けられている。
【００１４】
図２に示すように、スプロケット２７及びフイルムガイド部材２８がアパーチャ８と巻取り室１０との間に略縦並びにカメラ本体３に組み込まれている。フイルムガイド部材２８はパトローネ装填時のフイルム面と直交する面内で移動する。
【００１５】
図２中のＡ−Ａ断面を概略的に表す図３に示すように、スプロケット２７は、スプロケット軸２９を中心に回動自在に設けられている。また、スプロケット２７には第一ギア３０が固着され、モーター（図示なし）で駆動される第二ギア３１と噛合って、スプロケット２７が回転する。スプロケット２７には、スプロケット爪２７ａが複数設けられ、このスプロケット爪２７ａがフイルム給送路１８においてフイルム２４のパーフォレーション２４ｂと係合するようになっている。なお、フイルム２４が給送されるときに、パーフォレーション２４ｂの通過個数を計測できるフォトセンサ（図示なし）をカメラ本体３に設けている。
【００１６】
スプロケット近傍のカメラ本体３には、フイルムガイド部材２８が、軸３２を中心にフイルム面と直交する面内で回動可能にカメラ本体３に設けられ、ねじりバネ３３によって背面方向に付勢されている。
【００１７】
フイルムガイド部材２８には、背面側への突出高さが上方に向かって漸増する斜面２８ａが設けられている。この斜面２８ａにより、フイルムパトローネ２１の装填に伴うフイルムリーダー部２４ａのフイルム給送路１８へ向かっての挿入の際、フイルムリーダー部２４ａの側縁部２４ｃが斜面２８ａに当接し、側縁部２４ｃはフイルム給送路１８から外れる。フイルムリーダー部２４ａはスプロケット爪に突き当たらずに挿入される。
【００１８】
フイルム圧板１５は、装填蓋４の押圧突起部４ｃが通過できるように設けた第一開口１５ａと、装填蓋閉止時にフイルム圧板１５がスプロケット２７に当接しないように設けた第二開口１５ｂを有している。
【００１９】
図４に示すように、フイルムガイド部材２８に押圧突起受け部２８ｃを設けている。装填蓋４を閉じる際に、装填蓋４の押圧突起部４ｃが押圧突起受け部２８ｃを押すことで、フイルムガイド部材２８は付勢位置から退避位置に移動する。
【００２０】
次に、上記構成による作用について説明する。図１に示すように、装填蓋４を開くと、カメラ本体３の底面にフイルムパトローネ本体２２を挿入する装填口１１が露呈する。また、カメラ本体３と装填蓋４の裏蓋部４ａの間にフイルムリーダー部２４ａを挿入するスリットが露呈する。スリットの最もカメラ本体側に近い部分がフイルム給送路１８であり、装填の際には、このフイルム給送路１８に向かってフイルムリーダー部２４ａを挿入する。
【００２１】
装填蓋４を開いた状態では、フイルム圧板は閉じ状態より背面側に位置しており、また、フイルムガイド部材２８は、ねじりバネ３３によって付勢され、フイルム給送路１８に進入する付勢位置にある。フイルムリーダー部２４ａをフイルム給送路１８に向かって挿入すると、フイルムリーダー部の側縁部２４ｃは、スプロケット２７の下方に位置するフイルムガイド部材２８の斜面２８ａに当接する。側縁部２４ｃは斜面２８ａから背面方向への力を受けながら、斜面２８ａに沿ってガイドされる。フイルムリーダー部２４ａがさらに上方に向かって挿入されると、側縁部２４ｃは、スプロケット２７の背面側を通過し、スプロケット２７に突き当たることなく挿入される。フイルムリーダー部２４ａが挿入されると、フイルムリーダー部のパーフォレーション２４ｂはスプロケット爪２７ａと係合するか、若しくはスプロケット爪近傍に位置している。
【００２２】
フイルムパトローネ本体２２及びフイルムリーダー部２４ａの挿入を確認し、装填蓋４を閉じると、図４に示すように、装填蓋４の押圧突出部４ｃがフイルムガイド部材２８の押圧突出受け部２８ｃを押圧するため、フイルムガイド部材２８は、ねじりバネ３３の付勢力に抗し、フイルム給送路１８から退く退避位置に移動する。
【００２３】
同時に、フイルム圧板１５は、フイルムリーダー部２４ａを押し、フイルムリーダー部２４ａをフイルム給送路１８に収める。フイルム圧板１５は、押しながら移動する途中で、圧板受け１７に当接し制止させられるため、フイルムリーダー部２４ａを押すことを途中でやめる。
【００２４】
装填蓋４を完全に閉じたことがスイッチ（図示なし）で検知されると、カメラ本体内部の制御プログラムに従い、モーター（図示なし）が駆動を始める。モーターの駆動により、第一ギア３０及び第二ギア３１が駆動し、スプロケット２７が回転を始める。フイルムリーダー部２４ａのパーフォレーション２４ｂがスプロケット爪近傍に位置していると、スプロケット２７の回転により、パーフォレーション２４ｂがスプロケット爪２７ａに係合する。そして、フイルムリーダー部２４ａは、巻取り室１０に向かって初期送りされる。
【００２５】
スプロケット２７の回転と同時に巻取り室内のスプール１２も回転を始めるため、フイルムリーダー部２４ａが巻取り室１０に初期送りされると、スプール１２の引っ掛け爪１２ａにパーフォレーション２４ｂが係合し、スプール１２によるフイルム２４の巻取りが始まり、以後はスプール１２の駆動によりフイルム給送が継続される。なお、フイルムガイド部材２８は、フイルム給送路１８から完全に退避するため、フイルム給送に干渉することはない。
【００２６】
フイルム２４の給送は、フォトセンサにより監視され、パーフォレーション２４ｂの通過個数が所定数に達するとフイルム給送が停止され、アパーチャ８の背後にフイルム２４の１コマ目がセットされる。そのコマでの撮影を終えると、次のコマにセットするよう再びフイルム給送が行われる。
【００２７】
全撮影を終えると、モーター（図示なし）の回転により駆動力を伝達されたフイルムパトローネ軸２３が巻き戻し方向に回転し、フイルムパトローネ軸２３はフイルム２４を巻きつける。その際、スプロケット２７は、フリーになるよう制御されている。
【００２８】
フイルム２４はすべて巻き取られるため、装填蓋４を開けばフイルムパトローネ２１を容易に取り出すことができ、別のフイルムパトローネの装填が可能となる。装填蓋の開放とともに、フイルムガイド部材２８は、装填蓋４の押圧突出部４ｃから受けていた力が除かれ、付勢されたねじりバネ３３の力により、退避位置から付勢位置に移動する。
【００２９】
なお、上記で用いたフイルムガイド部材２８、ねじりバネ３３、軸３２の替わりに、図５、図６に示す第二の実施例のように、フイルム面に平行な軸に係りながらカメラ本体の前後方向にスライドし、斜面３６ａを有するフイルムガイド部材３６を用いてもよい。その場合、フイルムガイド部材３６の背面側端部３６ｂにネジ３７で固定された平面部３８ａと、その両端において軸に係合した曲面部３８ｂとで構成される板バネ３８を用いて、フイルムガイド部材３６は装填蓋の裏蓋部に向かって付勢される。
【００３０】
また、第一実施例及び第二実施例では、フイルムガイド部材を退避位置に退避させるとき、裏蓋部でフイルムガイド部材を押圧するとしたが、圧板を用いてフイルムガイド部材を押圧してもよい。
【図面の簡単な説明】
【００３１】
【図１】本発明を実施した写真カメラの背面斜視図である。
【図２】図１に示したカメラ本体主要部の背面図である。
【図３】第一実施例の写真カメラの断面図である。
【図４】第一実施例の写真カメラの断面図である。
【図５】第二実施例の写真カメラの断面図である。
【図６】第二実施例の写真カメラの断面図である。
【符号の説明】
【００３２】
２      写真カメラ
３      カメラ本体
４      装填蓋
９      装填室
１０    巻取り室
１８    フイルム給送路
２１    フイルムパトローネ
２４    フイルム
２４ａ  フイルムリーダー部
２４ｃ  側縁部
２７    スプロケット
２７ａ  スプロケット爪
２８    フイルムガイド部材
２８ａ  斜面
３３    ねじりバネ
３６    フイルムガイド部材（第二実施例）
３６ａ  斜面（第二実施例）
３８    板バネ（第二実施例）
【図１】
2005189413.tif 000003
【図２】
2005189413.tif 000004
【図３】
2005189413.tif 000005
【図４】
2005189413.tif 000006
【図５】
2005189413.tif 000007
【図６】
2005189413.tif 000008